(57)【要約】【課題】複数の記録層が積層形成された光ディスクのミドルゾーンに安定してデータを記録する。【解決手段】上位側記録層Ｌ０のデータゾーンＤＺ０と下位側記録層Ｌ１のデータゾーンＤＺ１とに再生用データを記録した後は、下位側記録層Ｌ１のミドルゾーンＭＺ１に規定データをディスク外周側からディスク内周側へ記録する下位側ミドルゾーン記録動作が実行される。その際に、上位側記録層Ｌ０のミドルゾーンＭＺ０のデータ記録終了予定位置よりもディスク外周側からデータの記録が開始される。下位側ミドルゾーン記録動作の実行後は、上位側記録層Ｌ０のミドルゾーンＭＺ０に規定データをディスク内周側からディスク外周側へ記録する上位側ミドルゾーン記録動作が実行される。【選択図】図５
2006127667.tif 000002
【特許請求の範囲】
【請求項１】
光ビームの照射側に関して上位側の記録層と下位側の記録層とが積層形成され、各記録層が再生用データを記録するためのデータゾーンと該データゾーンよりディスク外周側に近接し規定データを記録するためのミドルゾーンとを含む光ディスクにデータを記録する光ディスク装置のデータ記録装置であって、
データの記録時に光ディスクにおける光ビームの照射位置を制御することで、光ディスクにおけるデータの記録位置を制御する記録制御部を有し、
前記記録制御部は、
上位側記録層のデータゾーンと下位側記録層のデータゾーンとに再生用データを記録した後に、下位側記録層のミドルゾーンに規定データをディスク外周側からディスク内周側へ記録する下位側ミドルゾーン記録動作を実行し、
該下位側ミドルゾーン記録動作の実行後に、上位側記録層のミドルゾーンに規定データをディスク内周側からディスク外周側へ記録する上位側ミドルゾーン記録動作を実行することを特徴とする光ディスク装置のデータ記録装置。
【請求項２】
請求項１に記載の光ディスク装置のデータ記録装置であって、
前記記録制御部は、前記下位側ミドルゾーン記録動作の実行時において、上位側記録層のミドルゾーンの記録終了予定位置よりもディスク外周側からデータの記録を開始することを特徴とする光ディスク装置のデータ記録装置。
【請求項３】
請求項２に記載の光ディスク装置のデータ記録装置であって、
前記記録制御部は、前記下位側ミドルゾーン記録動作の実行時において、下位側記録層のミドルゾーンよりディスク外周側に近接する領域に所定データを記録してから、下位側記録層のミドルゾーンに規定データを記録することを特徴とする光ディスク装置のデータ記録装置。
【請求項４】
請求項３に記載の光ディスク装置のデータ記録装置であって、
前記記録制御部は、下位側記録層のデータゾーンの最外周位置が所定位置よりディスク外周側である場合に、前記下位側ミドルゾーン記録動作の実行時において、下位側記録層のミドルゾーンよりディスク外周側に近接する領域に所定データを記録することを特徴とする光ディスク装置のデータ記録装置。
【請求項５】
請求項３または４に記載の光ディスク装置のデータ記録装置であって、
前記下位側記録層のミドルゾーンよりディスク外周側に近接する領域は、アウタードライブエリアであることを特徴とする光ディスク装置のデータ記録装置。
【請求項６】
光ビームの照射側に関して上位側の記録層と下位側の記録層とが積層形成され、各記録層が再生用データを記録するためのデータゾーンと該データゾーンよりディスク外周側に近接し規定データを記録するためのミドルゾーンとを含む光ディスクにデータを記録する光ディスク装置のデータ記録装置であって、
データの記録時に光ディスクにおける光ビームの照射位置を制御することで、光ディスクにおけるデータの記録位置を制御する記録制御部を有し、
前記記録制御部は、
上位側記録層のデータゾーンと下位側記録層のデータゾーンとに再生用データを記録した後に、上位側記録層のミドルゾーンに規定データをディスク内周側からディスク外周側へ記録する上位側ミドルゾーン記録動作を実行し、
該上位側ミドルゾーン記録動作の実行後に、下位側記録層のミドルゾーンに規定データをディスク外周側からディスク内周側へ記録する下位側ミドルゾーン記録動作を実行し、
前記上位側ミドルゾーン記録動作の実行時においては、下位側記録層のミドルゾーンの記録開始予定位置よりもディスク外周側までデータを記録することを特徴とする光ディスク装置のデータ記録装置。
【請求項７】
請求項６に記載の光ディスク装置のデータ記録装置であって、
前記記録制御部は、前記上位側ミドルゾーン記録動作の実行時において、上位側記録層のミドルゾーンに規定データを記録した後に、上位側記録層のミドルゾーンよりディスク外周側に近接する領域に所定データを記録することを特徴とする光ディスク装置のデータ記録装置。
【請求項８】
請求項７に記載の光ディスク装置のデータ記録装置であって、
前記記録制御部は、上位側記録層のデータゾーンの最外周位置が所定位置よりディスク外周側である場合に、前記上位側ミドルゾーン記録動作の実行時において、上位側記録層のミドルゾーンよりディスク外周側に近接する領域に所定データを記録することを特徴とする光ディスク装置のデータ記録装置。
【請求項９】
請求項７または８に記載の光ディスク装置のデータ記録装置であって、
前記上位側記録層のミドルゾーンよりディスク外周側に近接する領域は、アウタードライブエリアであることを特徴とする光ディスク装置のデータ記録装置。
【請求項１０】
光ビームの照射側に関して上位側の記録層と下位側の記録層とが積層形成され、各記録層が再生用データを記録するためのデータゾーンと該データゾーンよりディスク外周側に近接し規定データを記録するためのミドルゾーンとを含む光ディスクに、光ピックアップから光ビームを照射することでデータを記録する光ディスク装置であって、
請求項１〜９のいずれか１に記載のデータ記録装置を備えることを特徴とする光ディスク装置。
【発明の詳細な説明】
【技術分野】
【０００１】
本発明は、光ディスク装置及びそのデータ記録装置に関し、特に、複数の記録層が積層形成された光ディスクにデータを記録する光ディスク装置及びそのデータ記録装置に関する。
【背景技術】
【０００２】
近年、ＣＤやＤＶＤ等の光ディスクが普及している。そして、光ディスクの記録容量を向上させるために、複数の記録層が積層形成された多層式光ディスクが提案されており、この多層式光ディスクの各記録層にデータを記録する光ディスク装置も提案されている（例えば下記特許文献１）。
【０００３】
ここで、多層式光ディスクの一例として、２層（Double-Layer）式光ディスクの構成を図２を用いて説明する。２層式光ディスクにおいては、図２に示すように、レーザ光の照射側に関して上位側の記録層Ｌ０と下位側の記録層Ｌ１とがスペーサ層を挟んで積層形成されている。上位側記録層Ｌ０は、再生用データを記録するためのデータゾーン（Data Zone）ＤＺ０と、データゾーンＤＺ０よりディスク外周側に近接し規格に従ったデータを記録するためのミドルゾーン（Middle Zone）ＭＺ０と、ミドルゾーンＭＺ０よりディスク外周側に近接するアウタードライブエリア（Outer Drive Area）ＯＤＡ０と、を含んでいる。下位側記録層Ｌ１も同様に、再生用データを記録するためのデータゾーンＤＺ１と、データゾーンＤＺ１よりディスク外周側に近接し規格に従ったデータを記録するためのミドルゾーンＭＺ１と、ミドルゾーンＭＺ１よりディスク外周側に近接するアウタードライブエリアＯＤＡ１と、を含んでいる。なお、各記録層Ｌ０，Ｌ１の構成は、規格により定められている。
【０００４】
図２に示す２層式光ディスクのデータゾーンＤＺ０，ＤＺ１及びミドルゾーンＭＺ０，ＭＺ１にデータを記録するときは、一般的には、以下に説明する方法によりデータを記録する。まず図３（Ａ）に示すように、上位側記録層Ｌ０のデータゾーンＤＺ０に再生用データをディスク内周側からディスク外周側へ記録する。次に図３（Ｂ）に示すように、下位側記録層Ｌ１のデータゾーンＤＺ１に再生用データをディスク外周側からディスク内周側へ記録する。次に図９（Ａ）に示すように、上位側記録層Ｌ０のミドルゾーンＭＺ０にデータをディスク内周側からディスク外周側へ記録する。次に図９（Ｂ）に示すように、下位側記録層Ｌ１のミドルゾーンＭＺ１にデータをディスク外周側からディスク内周側へ記録する。
【０００５】
【特許文献１】特開２００２−２３７０５０号公報
【発明の開示】
【発明が解決しようとする課題】
【０００６】
しかし、以上に説明したデータの記録方法においては、ミドルゾーンにデータを記録するときに、他の記録層の記録／未記録境界における反射率の違いによる影響を受けやすくなる。例えば、上位側記録層Ｌ０のミドルゾーンＭＺ０にデータを記録するときには、下位側記録層Ｌ１の記録／未記録境界における反射率の違いによる影響を受けやすくなる。ミドルゾーンＭＺ０にデータを記録するときは、レーザ光の光ディスクへの照射位置（光スポット位置）がトラック外れを起こさないようにトラックサーボ制御が行われるが、この反射率の違いが原因でトラック外れが発生しやすくなる。また、ミドルゾーンＭＺ０の記録開始位置が下位側記録層Ｌ１の記録／未記録境界を避ける位置であっても、記録層毎の偏心差等によってミドルゾーンＭＺ０のデータ記録開始時に下位側記録層Ｌ１の記録／未記録境界を通過する場合がある。そのため、ミドルゾーンＭＺ０に安定してデータを記録することが困難となる。
【０００７】
特許文献１においては、複数の記録層が積層形成された多層式光ディスクにデータを記録するときに複数の記録層において記録領域と未記録領域との境界部を判別し、一の記録層に記録する際に他の記録層の境界部によるトラッキングサーボへの影響の度合が大きい領域への記録を行わないようにしている。しかし、特許文献１においては、単に記録／未記録境界の影響が大きい領域を避けてデータの記録を行うにすぎないため、光ディスクの領域を有効に利用することが困難である。
【０００８】
本発明は、複数の記録層が積層形成された光ディスクのミドルゾーンに安定してデータを記録することができる光ディスク装置及びそのデータ記録装置を提供することを目的とする。
【課題を解決するための手段】
【０００９】
本発明に係る光ディスク装置及びそのデータ記録装置は、上述した目的を達成するために以下の手段を採った。
【００１０】
本発明に係る光ディスク装置のデータ記録装置は、光ビームの照射側に関して上位側の記録層と下位側の記録層とが積層形成され、各記録層が再生用データを記録するためのデータゾーンと該データゾーンよりディスク外周側に近接し規定データを記録するためのミドルゾーンとを含む光ディスクにデータを記録する光ディスク装置のデータ記録装置であって、データの記録時に光ディスクにおける光ビームの照射位置を制御することで、光ディスクにおけるデータの記録位置を制御する記録制御部を有し、前記記録制御部は、上位側記録層のデータゾーンと下位側記録層のデータゾーンとに再生用データを記録した後に、下位側記録層のミドルゾーンに規定データをディスク外周側からディスク内周側へ記録する下位側ミドルゾーン記録動作を実行し、該下位側ミドルゾーン記録動作の実行後に、上位側記録層のミドルゾーンに規定データをディスク内周側からディスク外周側へ記録する上位側ミドルゾーン記録動作を実行することを要旨とする。
【００１１】
本発明に係る光ディスク装置のデータ記録装置では、前記記録制御部は、前記下位側ミドルゾーン記録動作の実行時において、上位側記録層のミドルゾーンの記録終了予定位置よりもディスク外周側からデータの記録を開始することもできる。この本発明に係る光ディスク装置のデータ記録装置では、前記記録制御部は、前記下位側ミドルゾーン記録動作の実行時において、下位側記録層のミドルゾーンよりディスク外周側に近接する領域に所定データを記録してから、下位側記録層のミドルゾーンに規定データを記録することもできる。この本発明に係る光ディスク装置のデータ記録装置では、前記記録制御部は、下位側記録層のデータゾーンの最外周位置が所定位置よりディスク外周側である場合に、前記下位側ミドルゾーン記録動作の実行時において、下位側記録層のミドルゾーンよりディスク外周側に近接する領域に所定データを記録することもできる。この本発明に係る光ディスク装置のデータ記録装置では、前記下位側記録層のミドルゾーンよりディスク外周側に近接する領域は、アウタードライブエリアであるものとすることもできる。
【００１２】
また、本発明に係る光ディスク装置のデータ記録装置は、光ビームの照射側に関して上位側の記録層と下位側の記録層とが積層形成され、各記録層が再生用データを記録するためのデータゾーンと該データゾーンよりディスク外周側に近接し規定データを記録するためのミドルゾーンとを含む光ディスクにデータを記録する光ディスク装置のデータ記録装置であって、データの記録時に光ディスクにおける光ビームの照射位置を制御することで、光ディスクにおけるデータの記録位置を制御する記録制御部を有し、前記記録制御部は、上位側記録層のデータゾーンと下位側記録層のデータゾーンとに再生用データを記録した後に、上位側記録層のミドルゾーンに規定データをディスク内周側からディスク外周側へ記録する上位側ミドルゾーン記録動作を実行し、該上位側ミドルゾーン記録動作の実行後に、下位側記録層のミドルゾーンに規定データをディスク外周側からディスク内周側へ記録する下位側ミドルゾーン記録動作を実行し、前記上位側ミドルゾーン記録動作の実行時においては、下位側記録層のミドルゾーンの記録開始予定位置よりもディスク外周側までデータを記録することを要旨とする。
【００１３】
本発明に係る光ディスク装置のデータ記録装置では、前記記録制御部は、前記上位側ミドルゾーン記録動作の実行時において、上位側記録層のミドルゾーンに規定データを記録した後に、上位側記録層のミドルゾーンよりディスク外周側に近接する領域に所定データを記録することもできる。この本発明に係る光ディスク装置のデータ記録装置では、前記記録制御部は、上位側記録層のデータゾーンの最外周位置が所定位置よりディスク外周側である場合に、前記上位側ミドルゾーン記録動作の実行時において、上位側記録層のミドルゾーンよりディスク外周側に近接する領域に所定データを記録することもできる。この本発明に係る光ディスク装置のデータ記録装置では、前記上位側記録層のミドルゾーンよりディスク外周側に近接する領域は、アウタードライブエリアであるものとすることもできる。
【００１４】
また、本発明に係る光ディスク装置は、光ビームの照射側に関して上位側の記録層と下位側の記録層とが積層形成され、各記録層が再生用データを記録するためのデータゾーンと該データゾーンよりディスク外周側に近接し規定データを記録するためのミドルゾーンとを含む光ディスクに、光ピックアップから光ビームを照射することでデータを記録する光ディスク装置であって、本発明に係る光ディスク装置のデータ記録装置を備えることを要旨とする。
【発明の効果】
【００１５】
本発明によれば、複数の記録層が積層形成された光ディスクのミドルゾーンにデータを記録するときに、記録／未記録境界における反射率の違いに起因するトラック外れの発生を防止することができるので、ミドルゾーンに安定してデータを記録することができる。
【発明を実施するための最良の形態】
【００１６】
以下、本発明を実施するための形態（以下実施形態という）を図面に従って説明する。
【００１７】
図１は、本発明の実施形態に係るデータ記録装置を備える光ディスク装置の構成の概略を示すブロック図である。ＤＶＤ＋Ｒ等の記録可能な光ディスク１０は、スピンドルモータ２０により回転駆動される。光ピックアップ（ＰＵ）１２は、光ディスク１０に対向配置されており、光ビームとしてのレーザ光を光ディスク１０に照射するレーザダイオード（ＬＤ）と、光ディスク１０からの反射光を検出して電気信号に変換する光検出器と、を含む。
【００１８】
ここでの光ディスク１０は、２層（Double-Layer）式の光ディスクであり、図２に示すように、レーザ光の照射側に関して上位側の記録層Ｌ０と下位側の記録層Ｌ１とがスペーサ層を挟んで積層形成されている。上位側記録層Ｌ０は、再生用データを記録するためのデータゾーン（Data Zone）ＤＺ０と、データゾーンＤＺ０よりディスク外周側に近接し規格に従ったデータを記録するためのミドルゾーン（Middle Zone）ＭＺ０と、ミドルゾーンＭＺ０よりディスク外周側に近接するアウタードライブエリア（Outer Drive Area）ＯＤＡ０と、を含んでいる。下位側記録層Ｌ１も同様に、再生用データを記録するためのデータゾーンＤＺ１と、データゾーンＤＺ１よりディスク外周側に近接し規格に従ったデータを記録するためのミドルゾーンＭＺ１と、ミドルゾーンＭＺ１よりディスク外周側に近接するアウタードライブエリアＯＤＡ１と、を含んでいる。
【００１９】
図示は省略するが、ミドルゾーンＭＺ０，ＭＺ１は、いずれもディスク内周側から順に、バッファゾーン（Buffer Zone）、リザーブゾーン（Reserved Zone）、及びガードゾーン（Guard Zone）により構成される。アウタードライブエリアＯＤＡ０は、ディスク内周側から順に、アウターディスク管理ゾーン（Outer Disk Administration Zone）、アウターディスクカウントゾーン（Outer Disk Count Zone）、ダミーゾーン（Dummy Zone）、アウターディスクテストゾーン（Outer Disk Test Zone）、及びガードゾーン（Guard Zone）により構成される。アウタードライブエリアＯＤＡ１は、ディスク内周側から順に、アウターディスク管理ゾーン（Outer Disk Administration Zone）、アウターディスクカウントゾーン（Outer Disk Count Zone）、カウントゾーンランイン（Count Zone Run-in）、アウターディスクテストゾーン（Outer Disk Test Zone）、及びガードゾーン（Guard Zone）により構成される。このアウタードライブエリアＯＤＡ０，ＯＤＡ１は、データを記録しても記録しなくてもよいオプション的なエリアである。
【００２０】
また、図２では図示を省略しているが、上位側記録層Ｌ０のデータゾーンＤＺ０よりディスク内周側には、リードインゾーン（Lead-in Zone）及びインナードライブエリア（Inner Drive Area）が順に設けられている。そして、下位側記録層Ｌ１のデータゾーンＤＺ１よりディスク内周側には、リードアウトゾーン（Lead-out Zone）及びインナードライブエリア（Inner Drive Area）が順に設けられている。なお、以上に説明した各記録層Ｌ０，Ｌ１の具体的構成は、規格により定められている。
【００２１】
フォーカス誤差信号生成部１４は、光ピックアップ１２内の光検出器にて検出した反射光（電気信号）に基づいてフォーカス誤差信号を生成して出力する。フォーカス制御部１６は、フォーカス誤差信号生成部１４からのフォーカス誤差信号に基づいて光ピックアップ１２をフォーカス方向に駆動する制御を行うことで、フォーカスサーボ制御を行う。
【００２２】
トラッキング誤差信号生成部１８は、光ピックアップ１２内の光検出器にて検出した反射光（電気信号）に基づいてトラッキング誤差信号を生成して出力する。ここでは、例えばプッシュプル法を用いてトラッキング誤差信号を生成することができる。トラッキング制御部２２は、トラッキング誤差信号生成部１８からのトラッキング誤差信号のレベルが最小となるように、光ピックアップ１２を光ディスク１０の半径方向（トラック方向）に駆動して、光ディスク１０の半径方向における光スポット位置を制御する。これによって、光スポット位置がトラック外れを起こさないようにトラックサーボ制御が行われる。
【００２３】
ＲＦ検出部２４は、光ピックアップ１２内の光検出器にて検出した電気信号を増幅して再生ＲＦ信号を生成し、フィルタリング及びイコライジングを行って信号再生部２６へ出力する。信号再生部２６は、ＲＦ検出部２４からの入力信号をＡＣ結合した後に閾電圧を用いて２値化し、この２値化した信号を復調することで復調データを出力する。
【００２４】
また、ＲＦ検出部２４は、再生ＲＦ信号に含まれる光ディスク１０のアドレスデータであるアドレス信号を抽出し、コントローラ３０に供給する。エンコーダ３２は、入力された記録信号を変調した（エンコードした）後にＬＤ駆動部２８へ出力する。ＬＤ駆動部２８は、変調信号によりパワー変調されたレーザ光を照射させるため、光ピックアップ１２内のレーザダイオードを駆動する。これによって、光ディスク１０にデータが記録される。
【００２５】
コントローラ３０は、マイクロコンピュータにより構成され、光ディスク装置の各部の動作を制御する。例えば、コントローラ３０は、ＬＤ駆動部２８の駆動を制御することで、光ピックアップ１２内のレーザダイオードの出射パワーの制御を行う。ここで、レーザダイオードによるレーザ光の出射パワーについては、光ディスク１０の記録時及び再生時に応じて適宜設定される。さらに、コントローラ３０は、光ディスク１０の記録再生時には、光ピックアップ１２及びスピンドルモータ２０の駆動制御を行うことで、光ディスク１０におけるレーザ光の照射位置（光スポット位置）を制御する。これによって、光ディスク１０におけるデータの記録再生位置が制御される。
【００２６】
次に、本実施形態に係る光ディスク装置の記録動作、特に、コントローラ３０により光ディスク１０のデータゾーンＤＺ０，ＤＺ１及びミドルゾーンＭＺ０，ＭＺ１に、記録信号に基づいてデータを記録する動作について説明する。
【００２７】
まず図３（Ａ）に示すように、上位側記録層Ｌ０のデータゾーンＤＺ０に再生用データをディスク内周側からディスク外周側へ記録する上位側データゾーン記録動作が実行される。この上位側データゾーン記録動作の実行後は、図３（Ｂ）に示すように、下位側記録層Ｌ１のデータゾーンＤＺ１に再生用データをディスク外周側からディスク内周側へ記録する下位側データゾーン記録動作が実行される。
【００２８】
上位側記録層Ｌ０のデータゾーンＤＺ０と下位側記録層Ｌ１のデータゾーンＤＺ１とに再生用データが記録された後は、図４に示すフローチャートに従ってミドルゾーンＭＺ０，ＭＺ１にデータを記録する動作が実行される。
【００２９】
まずステップＳ１０１においては、下位側記録層Ｌ１のデータゾーンＤＺ１の記録開始アドレス（最外周アドレス）が所定アドレスより小さいか否かが判定される。ここで、上位側記録層Ｌ０のアドレスはディスク外周側ほどカウントアップされ、下位側記録層Ｌ１のアドレスはディスク内周側ほどカウントアップされる。また、ここでの所定アドレスは、ミドルゾーンＭＺ１の最外周アドレス（最小アドレス）から設定されるアドレスである。データゾーンＤＺ１の記録開始アドレスが所定アドレスより小さい場合、すなわちデータゾーンＤＺ１の最外周位置が所定位置（ミドルゾーンＭＺ１の最外周位置から決まる位置）よりディスク外周側である場合は、ステップＳ１０２に進む。一方、データゾーンＤＺ１の記録開始アドレスが所定アドレス以上の場合、すなわちデータゾーンＤＺ１の最外周位置が所定位置よりディスク外周側にない場合は、ステップＳ１０４に進む。
【００３０】
ステップＳ１０２，Ｓ１０３においては、図５（Ａ）に示すように、下位側記録層Ｌ１のミドルゾーンＭＺ１に規定データをディスク外周側からディスク内周側へ記録する下位側ミドルゾーン記録動作が実行される。ただし、この下位側ミドルゾーン記録動作の実行時には、上位側記録層Ｌ０のミドルゾーンＭＺ０にデータを記録するときの下位側記録層Ｌ１の記録／未記録境界の影響を避けるために、上位側記録層Ｌ０のミドルゾーンＭＺ０のデータ記録終了予定位置よりもディスク外周側からデータの記録を開始する。そのため、データゾーンＤＺ１の最外周位置が所定位置よりディスク外周側である（ステップＳ１０１の判定結果がＹＥＳ）場合は、下位側記録層Ｌ１のミドルゾーンＭＺ１よりディスク外周側に近接する領域からデータの記録を開始し、この領域に所定データを記録してから、ミドルゾーンＭＺ１に規定データを記録する。図２に示す光ディスク１０の例では、ミドルゾーンＭＺ１よりディスク外周側に近接する領域がアウタードライブエリアＯＤＡ１であるため、アウタードライブエリアＯＤＡ１の一部（例えば１０００ｈセクタ程度）に所定データを記録してから（ステップＳ１０２）、ミドルゾーンＭＺ１に規定データを記録する（ステップＳ１０３）。より具体的には、ステップＳ１０２では、アウタードライブエリアＯＤＡ１における最内周ゾーンであるアウターディスク管理ゾーン（Outer Disk Administration Zone）に所定データを（例えば１０００ｈセクタ程度）記録する。ここで記録する所定データについては、任意に設定することができる。下位側ミドルゾーン記録動作の実行後は、ステップＳ１０５に進む。
【００３１】
一方、データゾーンＤＺ１の最外周位置が所定位置よりディスク外周側でない（ステップＳ１０１の判定結果がＮＯ）場合は、ミドルゾーンＭＺ１にてデータの記録を開始しても、上位側記録層Ｌ０のミドルゾーンＭＺ０のデータ記録終了予定位置よりも十分にディスク外周側からデータの記録を開始することが可能である。そのため、ステップＳ１０４の下位側ミドルゾーン記録動作では、図６（Ａ）に示すように、アウタードライブエリアＯＤＡ１にデータを記録せずに、ミドルゾーンＭＺ１に規定データをディスク外周側からディスク内周側へ記録する。より具体的には、ミドルゾーンＭＺ１における最外周ゾーンであるガードゾーン（Guard Zone）にデータを例えば１０００ｈセクタ程度長めに記録するように設定する。つまり、１０００ｈセクタ程度外周から記録を開始する。下位側ミドルゾーン記録動作の実行後は、ステップＳ１０５に進む。
【００３２】
ステップＳ１０５においては、図５（Ｂ）または図６（Ｂ）に示すように、上位側記録層Ｌ０のミドルゾーンＭＺ０に規定データをディスク内周側からディスク外周側へ記録する上位側ミドルゾーン記録動作が実行される。その際には、下位側記録層Ｌ１のデータ記録済領域よりもディスク内周側にてデータの記録を終了する。そして、ミドルゾーンＭＺ０，ＭＺ１にデータを記録する動作を終了する。
【００３３】
以上説明したように、本実施形態においては、下位側記録層Ｌ１のミドルゾーンＭＺ１にデータを記録した後に、上位側記録層Ｌ０のミドルゾーンＭＺ０にデータを記録する。そして、ミドルゾーンＭＺ１の記録を行う際に、ミドルゾーンＭＺ０のデータ記録終了予定位置よりもディスク外周側からデータの記録を開始する。そのため、上位側記録層Ｌ０のミドルゾーンＭＺ０の記録を行う際に、下位側記録層Ｌ１の記録／未記録境界における反射率の違いによる影響を受けることがない。したがって、記録／未記録境界における反射率の違いに起因するトラック外れの発生を防止することができ、ミドルゾーンＭＺ０に安定してデータを記録することができる。このような記録動作は、上位側記録層Ｌ０での記録において、下位側記録層Ｌ１の記録／未記録境界における反射率の違いによる影響を受けやすい特性の光ピックアップ１２に対して特に有効となる。
【００３４】
次に、本実施形態の他の構成例について説明する。本実施形態では、以下に説明する動作によって、ミドルゾーンＭＺ０，ＭＺ１にデータを記録してもよい。
【００３５】
上位側記録層Ｌ０のデータゾーンＤＺ０と下位側記録層Ｌ１のデータゾーンＤＺ１とに再生用データが記録された後は、上位側記録層Ｌ０のミドルゾーンＭＺ０に規定データをディスク内周側からディスク外周側へ記録する上位側ミドルゾーン記録動作が実行される。この上位側ミドルゾーン記録動作の実行時には、下位側記録層Ｌ１のミドルゾーンＭＺ１にデータを記録するときの上位側記録層Ｌ０の記録／未記録境界の影響を避けるために、下位側記録層Ｌ１のミドルゾーンＭＺ１のデータ記録開始予定位置よりもディスク外周側までデータの記録を行う。
【００３６】
上位側記録層Ｌ０のデータゾーンＤＺ０の記録終了アドレスが所定アドレスより大きい場合、すなわちデータゾーンＤＺ０の最外周位置が所定位置よりディスク外周側である場合は、図７（Ａ）に示すように、上位側記録層Ｌ０のミドルゾーンＭＺ０に規定データを記録した後に、ミドルゾーンＭＺ０よりディスク外周側に近接する領域に所定データを記録する。図２に示す光ディスク１０の例では、ミドルゾーンＭＺ０よりディスク外周側に近接する領域がアウタードライブエリアＯＤＡ０であるため、ミドルゾーンＭＺ０に規定データを記録した後に、アウタードライブエリアＯＤＡ０の一部（例えば１０００ｈセクタ程度）に所定データを記録する。
【００３７】
一方、データゾーンＤＺ０の記録終了アドレスが所定アドレス以下の場合、すなわちデータゾーンＤＺ０の最外周位置が所定位置よりディスク外周側にない場合は、アウタードライブエリアＯＤＡ０までデータを記録しなくても、下位側記録層Ｌ１のミドルゾーンＭＺ１のデータ記録開始予定位置よりもディスク外周側までデータを記録することが可能である。その場合は、図８（Ａ）に示すように、アウタードライブエリアＯＤＡ０までデータを記録することなく、ミドルゾーンＭＺ０に規定データをディスク内周側からディスク外周側へ記録する。より具体的には、ミドルゾーンＭＺ０における最外周ゾーンであるガードゾーン（Guard Zone）にデータを例えば１０００ｈセクタ程度長めに記録するように設定する。つまり、１０００ｈセクタ程度外周まで記録を続ける。
【００３８】
上位側ミドルゾーン記録動作の実行後は、図７（Ｂ）または図８（Ｂ）に示すように、下位側記録層Ｌ１のミドルゾーンＭＺ１に規定データをディスク外周側からディスク内周側へ記録する下位側ミドルゾーン記録動作が実行される。その際には、上位側記録層Ｌ０のデータ記録済領域よりもディスク内周側からデータの記録が開始される。そして、ミドルゾーンＭＺ０，ＭＺ１にデータを記録する動作を終了する。
【００３９】
この構成例においては、ミドルゾーンＭＺ１のデータ記録開始予定位置よりもディスク外周側まで上位側記録層Ｌ０のデータ記録を続けるため、下位側記録層Ｌ１のミドルゾーンＭＺ１の記録を行う際に、上位側記録層Ｌ０の記録／未記録境界における反射率の違いによる影響を受けることがない。したがって、記録／未記録境界における反射率の違いに起因するトラック外れの発生を防止することができ、ミドルゾーンＭＺ１に安定してデータを記録することができる。このような記録動作は、下位側記録層Ｌ１での記録において、上位側記録層Ｌ０の記録／未記録境界における反射率の違いによる影響を受けやすい特性の光ピックアップ１２に対して特に有効となる。
【００４０】
なお、本発明の態様として、コンピュータを以上に説明したデータゾーンＤＺ０，ＤＺ１及びミドルゾーンＭＺ０，ＭＺ１にデータを記録する動作を実行する手段として機能させるためのプログラムとする態様や、このプログラムを記憶したコンピュータ読み取り可能な記憶媒体、例えばＣＤ−ＲＯＭやＤＶＤ−ＲＯＭやフレキシブルディスクなどの種々の記憶媒体とする態様なども好適である。こうしたプログラムをコンピュータにインストールするとともにこのプログラムを実行することにより、本発明の効果を奏することができる。
【００４１】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【００４２】
【図１】本発明の実施形態に係るデータ記録装置を備える光ディスク装置の構成の概略を示すブロック図である。
【図２】２層（Double-Layer）式光ディスクの構成例を示す図である。
【図３】データゾーンにデータを記録する動作を説明する図である。
【図４】本発明の実施形態におけるミドルゾーンにデータを記録する動作を説明するフローチャートである。
【図５】本発明の実施形態におけるミドルゾーンにデータを記録する動作を説明する図である。
【図６】本発明の実施形態におけるミドルゾーンにデータを記録する動作を説明する図である。
【図７】本発明の実施形態におけるミドルゾーンにデータを記録する他の動作を説明する図である。
【図８】本発明の実施形態におけるミドルゾーンにデータを記録する他の動作を説明する図である。
【図９】従来におけるミドルゾーンにデータを記録する動作を説明する図である。
【符号の説明】
【００４３】
１０  光ディスク、１２  光ピックアップ、１４  フォーカス誤差信号生成部、１６  フォーカス制御部、１８  トラッキング誤差信号生成部、２０  スピンドルモータ、２２  トラッキング制御部、２４  ＲＦ検出部、２６  信号再生部、２８  ＬＤ駆動部、３０  コントローラ、３２  エンコーダ、ＤＺ０，ＤＺ１  データゾーン、Ｌ０  上位側記録層、Ｌ１  下位側記録層、ＭＺ０，ＭＺ１  ミドルゾーン、ＯＤＡ０，ＯＤＡ１  アウタードライブエリア。
【図１】
2006127667.tif 000003
【図２】
2006127667.tif 000004
【図３】
2006127667.tif 000005
【図４】
2006127667.tif 000006
【図５】
2006127667.tif 000007
【図６】
2006127667.tif 000008
【図７】
2006127667.tif 000009
【図８】
2006127667.tif 000010
【図９】
2006127667.tif 000011